【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
患者に光学信号を提供しかつ該患者から光学信号を運ぶ腔内用カテーテルシステムと、外側ハウジングと、操作中にカテーテルシステムが引戻し回転システムにより駆動されている場合該外側ハウジングに対して長軸方向に動きかつ該外側ハウジングに対して回転する内側キャリッジのためのカテーテルキャリッジインターロック機器とを備える光カテーテルシステムのためのカテーテルキャリッジインターロック機器であって、該インターロック機器が
該外側ハウジング内における該内側キャリッジの回転および長軸方向移動を防ぐようになっているキャリッジロック機構と、
該光カテーテルシステムが該引戻し回転システムに接続されている場合にキャリッジロック機構を係合し、かつ該光カテーテルシステムが該引戻し回転システムに接続されている場合に該外側ハウジングに対して長軸方向に回転しかつ動けるよう、該内側キャリッジを解放するためにキャリッジロックシステムをロック解除するようになっているロック解除機構。
【請求項２】
カテーテルロック機構が、内側キャリッジの回転および／または外側ハウジングからの引き抜きを防ぐために旋回して該内側キャリッジに係合する少なくとも1つのレバーアームを含む、請求項１記載のインターロック機器。
【請求項３】
内側キャリッジの外側ハウジングからの引き抜きを防ぐために少なくとも1つのレバーアームが該キャリッジ上の引き抜きショルダーと機械的に干渉する、請求項２記載のインターロック機器。
【請求項４】
外側ハウジング内での内側キャリッジの回転を防ぐために少なくとも1つのレバーアームが該キャリッジ上の回転ショルダーと機械的に干渉する、請求項２記載のインターロック機器。
【請求項５】
内側キャリッジの外側ハウジングからの引き抜きを防ぐために少なくとも1つのレバーアームが該キャリッジ上の引き抜きショルダーと機械的に干渉する、請求項４記載のインターロック機器。
【請求項６】
少なくとも1つのレバーアームを旋回させて内側キャリッジとの係合を外すために、ロック解除機構が少なくとも1つのレバーアームと係合するリングを含む、請求項４記載のインターロック機器。
【請求項７】
腔内用カテーテルが、腔内用カテーテルの頭部と内側キャリッジとの間で光学信号を伝えるための、少なくとも1本の光ファイバーを含む光ファイバー束を含む、請求項１記載のインターロック機器。
【請求項８】
内側キャリッジが、光ファイバー束に光学接続を提供するための1つまたは複数の光コネクターを含む、請求項７記載のインターロック機器。
【請求項９】
腔内用カテーテルが、内側キャリッジから腔内用カテーテルの頭部に回転を伝達するためのトルクケーブルを含む、請求項１記載のインターロック機器。
【請求項１０】
内側キャリッジが、引戻し回転システムへの取り付け中に該内側キャリッジを回転整列させるために該内側キャリッジの近位側から軸方向に突出するバイオネット部材を含む、請求項１記載のインターロック機器。
【請求項１１】
患者に対して光学信号を送達し該患者からの光学信号を運ぶようになっている腔内用カテーテルと、外側ハウジングと、操作中にカテーテルシステムが引戻し回転システムにより駆動されている場合該外側ハウジングに対して長軸方向に動きかつ該外側ハウジングに対して回転する内側キャリッジのためのカテーテルキャリッジインターロック機器とを含む光カテーテルシステムにおいて、以下の段階を含む、外側ハウジングに対して内側キャリッジを選択的にロックするための方法：
光カテーテルシステムが該引戻し回転システムに接続されていない場合に、外側ハウジング内に対して該内側キャリッジの回転および長軸方向移動を防ぐために外側ハウジング内に対して該内側キャリッジを機械的にロックする段階、及び
該光カテーテルシステムが該引戻し回転システムに接続されている場合に、該外側ハウジングに対して長軸方向に回転しかつ動けるよう、該内側キャリッジを解放するためにキャリッジロックシステムをロック解除する段階。
【請求項１２】
患者に光学信号を送達しかつ該患者から光学信号を運ぶような腔内用光カテーテルと、
カテーテルに選択的に連結され、フレームと、光カテーテルに回転駆動を提供するように当該フレームに対して回転するようになっているカリッジ駆動システムとを含む回転システムと、
光学信号を生成するための、固定された回転しない光源と、
回転キャリッジ光カプラーに光学信号光源を連結するように作られている回転式光カプラーと、
回転式光カプラーから腔内用光カテーテルに光学信号を伝えるための回転カリッジ駆動システムに運ばれる送達チャネルと、
回転キャリッジ駆動システムに運ばれ、送達チャネルによって腔内用光カテーテルに伝えられた光学信号を検出するように作られている、送達信号検出器と
回転キャリッジ駆動システムに運ばれ、光カテーテルによって患者からの運ばれた光学信号を検出するようになっている、信号回収器と
を含む腔内用光分析システム。
【請求項１３】
送達信号検出器によって検出された信号と、集信号検出器によって検出された信号への参照により、患者からの光学信号からノイズを減らすようになっているノイズ抑圧システムをさらに含む、請求項１２記載の腔内用光分析システム。
【請求項１４】
ノイズ抑圧システムが、回転式光カプラーによって信号に導入されたノイズを患者から減らすようになっている回転式カプラー抑制システムを含む、請求項１３記載の腔内用光分析システム。
【請求項１５】
ノイズ抑圧システムが、レーザーによって信号に導入されたノイズを患者から減らすようになっているレーザーノイズ抑圧システムを含む、請求項１３記載の腔内用光分析システム。
【請求項１６】
ノイズ抑圧システムが、共通モード除去を用いてノイズを減らすように作られている、請求項１３記載の腔内用光分析システム。
【請求項１７】
送達信号検出器に送達チャネルによって伝えられた光学信号の一部を送達するためのタップをさらに含み、該送達信号検出器が信号の送達部分を検出するように作られている、請求項１２記載の腔内用光分析システム。
【請求項１８】
光源がチューナブルレーザーである、請求項１２記載の腔内用光分析システム。
【請求項１９】
送達信号検出器と集信号検出器との応答を分割するための分割回路をさらに含む、請求項１２記載の腔内用光分析システム。
【請求項２０】
ノイズ抑圧の後、患者からの光学信号の情報を、回転キャリッジ駆動システムから、電気的に伝えるようになっている電気スリップリングアセンブリをさらに含む、請求項１２記載の腔内用光分析システム。
【請求項２１】
患者の組織に光学信号を送達し、患者から回収された光学信号を用いて該組織の解析を可能にする回転腔内用光カテーテルを用いた、以下の段階を含む、腔内用光分析を実施する方法：
固定された回転しない参照フレームからの光学信号を生成する段階、
回転式光カテーテルに生成した光学信号を連結する段階、
回転式光カテーテルの回転に対応する参照の回転フレームにおいて、回転式光カテーテルに連結された信号を検出する段階、及び
参照の回転フレームにおいて患者から回収された信号を検出する段階。
【請求項２２】
参照の回転フレームにおいて検出された回転カテーテルに連結された信号と、参照の回転フレームにおいて検出された患者から回収された信号とを参照することにより、回収された光学信号に存在するノイズを減らす段階をさらに含む、請求項２１記載の方法。
【請求項２３】
生成した光学信号を回転光カテーテルに連結することにより導入されたノイズを減らす段階を含む、請求項２２記載の方法。
【請求項２４】
光学信号を生成することにより導入されたノイズを減らす段階を含む、請求項２２記載の方法。
【請求項２５】
共通モード除去によりノイズを減らす段階を含む、請求項２２記載の方法。
【請求項２６】
参照の回転フレーム内で生成した光学信号の一部を分流する段階をさらに含む、請求項２１記載の方法。
【手続補正２】
【補正対象書類名】明細書
【補正対象項目名】００３８
【補正方法】変更
【補正の内容】
【００３８】
構成および部品の組合せに関する種々の新規の詳細ならびに他の利点も含め、本発明の上記および他の特徴を、添付の図面を参照しながら以下にさらに具体的に説明し、かつ特許請求の範囲においても指摘する。本発明を具体化した特定の方法および装置は本発明を限定するものとしてではなく実例として示されることが理解されるであろう。本発明の原理および特徴は本発明の範囲から逸脱することなく種々のかつ多数の態様で具体化されうる。
[請求項101]
外側ジャケットと、
該外側ジャケット内で長軸方向に回転しかつ動く内側スキャン用ボディと
を含む、患者に挿入するための腔内用カテーテル;および
該外側ジャケットに機械的に連結された外側ハウジングと、
少なくとも部分的に該外側ハウジング内にありかつ該内側スキャン用ボディに機械的に連結された内側キャリッジと
を含むハンドル部
を含む、カテーテルシステム。
[請求項102]
内側スキャン用ボディが、腔内用カテーテルの頭部と内側キャリッジとの間で光学信号を伝えるための、少なくとも1本の光ファイバーを含む光ファイバー束を含む、請求項101記載のカテーテルシステム。
[請求項103]
内側キャリッジが、光ファイバー束に光学接続を提供するための1つまたは複数の光コネクターを含む、請求項102記載のカテーテルシステム。
[請求項104]
内側スキャン用ボディが、内側キャリッジから該内側スキャン用ボディを通じて腔内用カテーテルの頭部に回転を伝達するためのトルクケーブルを含む、請求項101記載のカテーテルシステム。
[請求項105]
外側ハウジングが、カテーテルシステムを引戻し回転システムに取り付けるためのハンドルとして機能する、請求項101記載のカテーテルシステム。
[請求項106]
内側キャリッジが、引戻し回転システムへの取り付け中に該内側キャリッジを回転整列させるために該内側キャリッジの近位側から軸方向に突出するバイオネット部材を含む、請求項101記載のカテーテルシステム。
[請求項107]
少なくとも輸送中に内側キャリッジを外側ハウジング内に固定するカテーテルキャリッジインターロックシステムをさらに含む、請求項101記載のカテーテルシステム。
[請求項108]
カテーテルキャリッジインターロックシステムが、外側ハウジング内での内側キャリッジの回転を防ぐ、請求項107記載のカテーテルシステム。
[請求項109]
カテーテルキャリッジインターロックシステムが、内側キャリッジの外側ハウジングから引き抜きを防ぐ、請求項107記載のカテーテルシステム。
[請求項110]
カテーテルキャリッジインターロックシステムが、外側ハウジング内での内側キャリッジの回転を防ぐ、請求項109記載のカテーテルシステム。
[請求項111]
内側キャリッジが外側ハウジングに対して回転しかつ動けるよう、カテーテルキャリッジインターロックシステムを外すための引戻し回転システム上のレリーズ部材をさらに含む、請求項107記載のカテーテルシステム。
[請求項112]
カテーテルキャリッジインターロックシステムが、内側キャリッジの回転および/または外側ハウジングからの引き抜きを防ぐために旋回して該内側キャリッジに係合する少なくとも1つのレバーアームを含む、請求項107記載のカテーテルシステム。
[請求項113]
患者に光学信号を提供しかつ該患者から光学信号を運ぶ腔内用カテーテルと、
外側ハウジングと、
操作中にカテーテルシステムが引戻し回転システムにより駆動されている場合該外側ハウジングに対して長軸方向に動きかつ該外側ハウジングに対して回転する内側キャリッジと
を含む光カテーテルシステムのための、カテーテルキャリッジインターロックシステムであって、
該インターロックシステムが、
該外側ハウジング内における該内側キャリッジの回転および長軸方向移動を防ぐキャリッジロックシステムと、
カテーテルシステムが該引戻し回転システムに接続されている場合該外側ハウジングに対して長軸方向に回転しかつ動けるよう、該内側キャリッジを解放するために該キャリッジロックシステムをロック解除する、該引戻し回転システム上のロック解除システムと
を含む、インターロックシステム。
[請求項114]
カテーテルロックシステムが、内側キャリッジの回転および/または外側ハウジングからの引き抜きを防ぐために旋回して該内側キャリッジに係合する少なくとも1つのレバーアームを含む、請求項113記載のインターロックシステム。
[請求項115]
内側キャリッジの外側ハウジングからの引き抜きを防ぐために少なくとも1つのレバーアームが該キャリッジ上の引き抜きショルダーと機械的に干渉する、請求項114記載のインターロックシステム。
[請求項116]
外側ハウジング内での内側キャリッジの回転を防ぐために少なくとも1つのレバーアームが該キャリッジ上の回転ショルダーと機械的に干渉する、請求項114記載のインターロックシステム。
[請求項117]
内側キャリッジの外側ハウジングからの引き抜きを防ぐために少なくとも1つのレバーアームが該キャリッジ上の引き抜きショルダーと機械的に干渉する、請求項116記載のインターロックシステム。
[請求項118]
少なくとも1つのレバーアームを旋回させて内側キャリッジとの係合を外すためにロック解除システムが少なくとも1つのてこアームと係合するリングを含む、請求項114記載のインターロックシステム。
[請求項119]
患者に光学信号を提供しかつ該患者から光学信号を運ぶ腔内用カテーテルと、
外側ハウジングと、
操作中にカテーテルシステムが引戻し回転システムにより駆動されている場合該外側ハウジングに対して長軸方向に動きかつ該外側ハウジングに対して回転する内側キャリッジと
を含む光カテーテルシステムのための、カテーテルキャリッジインターロック方法であって、
少なくとも該光カテーテルシステムの輸送中、該外側ハウジング内における該内側キャリッジの回転および長軸方向移動を防ぐ段階;ならびに
該光カテーテルシステムが該引戻し回転システムに接続されている場合に該外側ハウジングに対して長軸方向に回転しかつ動けるよう、該内側キャリッジを解放するために該内側キャリッジをロック解除する段階
を含む、方法。
[請求項120]
外側ジャケットと、
操作中に該外側ジャケット内で長軸方向に回転しかつ動く内側スキャン用ボディと
を含む、患者に挿入するための腔内用カテーテル;
該外側ジャケットに機械的に連結された外側ハウジングを含む、ハンドル部;および
ユーザーによりロック解除されるまで該ハンドル部を引戻し回転システムのフレームに固定するためのカテーテルハウジングロック機構
を含む、カテーテルシステム。
[請求項121]
ハンドル部をフレームからレリーズするためにカテーテルハウジングロック機構がユーザーにより作動される、請求項120記載のカテーテルシステム。
[請求項122]
フレーム;
腔内用カテーテルを含むカテーテルシステムが連結される、該フレームに取り付けられたカテーテルシステムインターフェース;
該カテーテルシステムに回転および長軸方向駆動を提供するために該フレームに対して長軸方向に動きかつ回転するキャリッジ駆動システム;ならびに
該キャリッジ駆動システムを前進させるおよび/または引き出すための駆動モーターと
ユーザーが該キャリッジ駆動システムを手動で前進させるおよび/または引き出すことを可能にする手動駆動入力と
を含む、長軸方向駆動システム
を含む、引戻し回転システム。
[請求項123]
長軸方向駆動システムの駆動モーターを選択的に係合するためのクラッチをさらに含む、請求項122記載の引戻し回転システム。
[請求項124]
キャリッジ駆動システムが駆動モーターにより駆動されている場合および該キャリッジ駆動システムが手動駆動入力により駆動されている場合の両方において該キャリッジ駆動システムの前進および引き出しを追跡するためのエンコーダーをさらに含む、請求項122記載の引戻し回転システム。
[請求項125]
該手動駆動入力が該エンコーダーに機械的に連結され、かつ該クラッチが該駆動モーターを該エンコーダーに選択的に連結する、引戻し回転システムであって、
該引戻し回転システムが、
長軸方向駆動システムの駆動モーターを選択的に係合するためのクラッチと、
キャリッジ駆動システムが該駆動モーターにより駆動されている場合および該キャリッジ駆動システムが手動駆動入力により駆動されている場合の両方において該キャリッジ駆動システムの前進および引き出しを追跡するためのエンコーダーと
をさらに含む、請求項122記載の引戻し回転システム。
[請求項126]
駆動モーターおよび手動駆動入力をキャリッジ駆動システムに連結するためのタイミングベルトシステムをさらに含む、請求項122記載の引戻し回転システム。
[請求項127]
キャリッジ駆動システムが、駆動フレームと該フレーム上で回転するドラムとをさらに含む、請求項122記載の引戻し回転システム。
[請求項128]
ドラムが、カテーテルシステムに光学接続を提供するための光コネクターを備える、請求項127記載の引戻し回転システム。
[請求項129]
駆動フレーム上でドラムを回転させかつ該ドラムの回転をモニターするためのドラム回転モーターエンコーダーをさらに含む、請求項127記載の引戻し回転システム。
[請求項130]
ドラムの角位置を決定するための角位置検出器をさらに含む、請求項127記載の引戻し回転システム。
[請求項131]
ドラムが、該回転ドラムとフレームとの間で光学信号を伝えることを可能にする回転式光カプラーを含む、請求項127記載の引戻し回転システム。
[請求項132]
ドラムが、カテーテルシステムから戻ってくる光学信号を検出するための検出器を含む、請求項127記載の引戻し回転システム。
[請求項133]
ドラムが、電気信号を該回転ドラムに伝えるための電気スリップリングアセンブリを含む、請求項127記載の引戻し回転システム。
[請求項134]
該カテーテルシステムをインターフェースに連結する段階;
該カテーテルシステムを長軸方向および回転方向に駆動する段階;ならびに
該カテーテルシステムを手動で長軸方向に前進させるかまたは引き出すためのユーザーによる手動駆動を可能にする段階
を含む、カテーテルシステムの引戻し回転駆動のための方法。
[請求項135]
フレームと、
腔内用光カテーテルを含むカテーテルシステムが連結される、該フレームに取り付けられたカテーテルシステムインターフェースと、
該カテーテルシステムに回転および長軸方向駆動を提供するために該フレームに対して長軸方向に動きかつ回転するキャリッジ駆動システムと、
該キャリッジ駆動システムを前進させるおよび/または引き出すための駆動モーターを含む長軸方向駆動システムと
を含む、光カテーテルシステムのための引戻し回転システム。
[請求項136]
長軸方向駆動システムの駆動モーターを選択的に係合するためのクラッチをさらに含む、請求項135記載の引戻し回転システム。
[請求項137]
キャリッジ駆動システムの前進および引き出しを追跡するためのエンコーダーをさらに含む、請求項135記載の引戻し回転システム。
[請求項138]
駆動モーターをキャリッジ駆動システムに連結するためのタイミングベルトシステムをさらに含む、請求項135記載の引戻し回転システム。
[請求項139]
キャリッジ駆動システムが、駆動フレームと該フレーム上で回転するドラムとをさらに含む、請求項135記載の引戻し回転システム。
[請求項140]
ドラムが、カテーテルシステムに光学接続を提供するための光コネクターを備える、請求項139記載の引戻し回転システム。
[請求項141]
駆動フレーム上でドラムを回転させかつ該ドラムの回転をモニターするためのドラム回転モーターエンコーダーをさらに含む、請求項139記載の引戻し回転システム。
[請求項142]
ドラムの角位置を決定するための角位置検出器をさらに含む、請求項141記載の引戻し回転システム。
[請求項143]
ドラムが、該回転ドラムとフレームとの間で光学信号を伝えることを可能にする回転式光カプラーを含む、請求項141記載の引戻し回転システム。
[請求項144]
ドラムが、カテーテルシステムから戻ってくる光学信号を検出するための検出器を含む、請求項141記載の引戻し回転システム。
[請求項145]
ドラムが、電気信号を該回転ドラムに伝えるための電気スリップリングアセンブリを含む、請求項141記載の引戻し回転システム。
[請求項146]
フレームと、
腔内用カテーテルを含むカテーテルシステムが連結される、該フレームに取り付けられたカテーテルシステムインターフェースと、
該カテーテルシステムに長軸方向駆動を提供するために該フレームに対して長軸方向に動く引戻しキャリッジ駆動システムと
を含むカテーテル引戻しシステムのための引戻しキャリッジインターロックシステムであって、
該キャリッジインターロックシステムが、該カテーテルシステムが該引戻しシステムに取り付けられている場合に該引戻しキャリッジ駆動システムを保持するためのラッチシステムを含む、引戻しキャリッジインターロックシステム。
[請求項147]
カテーテルシステムを引戻しシステムに接続した際に引戻しキャリッジ駆動システムのフレームに対する長軸方向移動を可能にするよう、ラッチシステムをロック解除するためのレリーズシステムをさらに含む、請求項146記載の引戻しキャリッジインターロックシステム。
[請求項148]
ラッチシステムが、引戻しキャリッジ駆動システムのキャリッジ駆動フレームと係合する少なくとも1つのラッチアームを含む、請求項146記載の引戻しキャリッジインターロックシステム。
[請求項149]
ラッチシステムが、カテーテルシステムインターフェースに向かって完全に前進させた場合に引戻しキャリッジ駆動システムのキャリッジ駆動フレームと係合する少なくとも1つのラッチアームを含む、請求項146記載の引戻しキャリッジインターロックシステム。
[請求項150]
カテーテルシステムを引戻しシステムに接続した際に引戻しキャリッジ駆動システムのフレームに対する長軸方向移動を可能にするよう、ラッチシステムをロック解除するためのレリーズシステムをさらに含む、引戻しキャリッジインターロックシステムであって、
該レリーズシステムがカテーテルシステムインターフェースへの該カテーテルシステムの連結によって係合されている、請求項146記載の引戻しキャリッジインターロックシステム。
[請求項151]
レリーズシステムが、引戻しキャリッジ駆動システムとの係合から外れるようラッチアームを回転させるピンを含む、請求項150記載の引戻しキャリッジインターロックシステム。
[請求項152]
カテーテルシステムに接続するための位置に引戻しキャリッジ駆動システムが存在することを検出するための検出器をさらに含む、請求項146記載の引戻しキャリッジインターロックシステム。
[請求項153]
フレームと、
腔内用カテーテルを含むカテーテルシステムが連結される、該フレームに取り付けられたカテーテルシステムインターフェースと、
該カテーテルシステムに長軸方向駆動を提供するために該フレームに対して長軸方向に動く引戻しキャリッジ駆動システムと
を含むカテーテル引戻しシステムのための、インターロック方法であって、
該引戻しキャリッジ駆動システムの長軸方向移動を防ぐ段階;および
該長軸方向移動を防ぎながら該カテーテルシステムを該カテーテルシステムインターフェースに連結する段階
を含む方法。
[請求項154]
カテーテルシステムの連結後に引戻しキャリッジ駆動システムをレリーズする段階をさらに含む、請求項153記載の方法。
[請求項155]
カテーテルシステムに接続するための位置に引戻しキャリッジ駆動システムが存在することを検出する段階をさらに含む、請求項153記載の方法。
[請求項156]
患者体内の組織の分析を可能にするために該患者に光学信号を提供しかつ該患者から光学信号を運ぶ腔内用光カテーテル;
フレームと、
該光カテーテルに回転駆動を提供するために該フレームに対して回転するキャリッジ駆動システムと
を含む、回転システム;
光学信号を生成するための光源;および
回転式光継手を通り該キャリッジ駆動システムを介して該腔内用光カテーテルに該光学信号を伝えるための送達チャネル
を含む、腔内用光学分析システム。
[請求項157]
送達チャネル上を伝えられる光学信号をモニターするための送達チャネル検出器と、
患者からの光学信号を検出するための、キャリッジ駆動システム上の集光チャネル検出器と
をさらに含む、請求項101記載の腔内分析システム。
[請求項158]
送達チャネル検出器がキャリッジ駆動システム上に位置している、請求項158記載の腔内分析システム。
[請求項159]
送達チャネル検出器および集光チャネル検出器への参照により回転式光継手によって導入されたノイズを患者からの光学信号から減らすために共通モード除去を用いる、回転継手ノイズ抑圧システムをさらに含む、請求項158記載の腔内分析システム。
[請求項160]
送達チャネル検出器および集光チャネル検出器への参照により光学信号を生成するレーザーによって導入されたノイズを患者からの光学信号から減らすために共通モード除去を用いる、レーザーノイズ抑圧システムをさらに含む、請求項158記載の腔内分析システム。
[請求項161]
光学信号の一部を送達チャネル検出器に分流するためのタップをさらに含む、請求項158記載の腔内分析システム。
[請求項162]
光源がチューナブルレーザーである、請求項158記載の腔内分析システム。
[請求項163]
送達チャネル検出器および集光チャネル検出器の応答を分割するための分割回路をさらに含む、請求項158記載の腔内分析システム。
[請求項164]
送達チャネル検出器に反応したノイズ抑圧の後に送達チャネル検出器からの電気信号を回転キャリッジ駆動システムから伝えるための電気スリップリングアセンブリをさらに含む、請求項158記載の腔内分析システム。
[請求項165]
患者体内の組織の分析を可能にするために該患者に光学信号を提供しかつ該患者から光学信号を運ぶ腔内用光カテーテル、および
フレームと、
該光カテーテルに回転駆動を提供するために該フレームに対して回転するキャリッジ駆動システムと
を含む、回転システム
を含む腔内用光学分析システムのための方法であって、
光学信号を生成する段階;
回転式光継手を通り該キャリッジ駆動システムを介して該腔内用光カテーテルに該光学信号を伝える段階;
送達チャネル上を伝えられる該光学信号をモニターする段階;および
該患者からの光学信号を該キャリッジ駆動システム上で検出する段階
を含む方法。
[請求項166]
送達チャネル検出器および集光チャネル検出器への参照により回転式光継手によって導入されたノイズを患者からの光学信号から減らすために共通モード除去を用いる段階をさらに含む、請求項165記載の方法。
[請求項167]
送達チャネル検出器および集光チャネル検出器への参照により光学信号を生成するレーザーによって導入されたノイズを患者からの光学信号から減らすために共通モード除去を用いる段階をさらに含む、請求項165記載の方法。
[請求項168]
光学信号の一部を送達チャネル検出器にタップで分岐させる段階をさらに含む、請求項165記載の方法。
[請求項169]
送達チャネル検出器を回転キャリッジ駆動システム上に位置させる段階をさらに含む、請求項165記載の方法。
[請求項170]
光学信号を生成する段階が、チューナブルレーザーで光学信号を生成することを含む、請求項165記載の方法。